(57)【特許請求の範囲】
【請求項１】
上方または下方に設けられたレール部材と、
前記レール部材に沿って移動可能に設けられた移動体に支持される障子と、を有する建具であって、
前記障子は、上下の横框、及び、左右の縦框が枠組みされた框体を有し、
前記縦框は、上下方向に沿って設けられ前記障子の操作部をなし見込み方向に窪む操作溝部を有し、
前記移動体は上または下の前記横框のいずれかに、見付け方向における両端側に収容されており、前記移動体が収容された前記横框の小口は、前記框体において前記操作溝部より、見付け方向における外側に位置しており、
前記框体は、前記上下の横框の見付け方向における端部側を覆うとともに、前記上下の横框と前記縦框の前記操作溝部とを繋ぐカバー部材を有することを特徴とする建具。
【請求項２】
請求項１に記載の建具であって、
前記縦框は、上の前記横框と下の前記横框との間に位置し、前記障子の操作部をなし見込み方向に窪む前記操作溝部が上下方向に沿うとともに、その全域に設けられた縦框本体と、前記操作溝部より見付け方向における端部側にて前記縦框本体より上方及び下方にそれぞれ延出され前記上下の横框の小口を覆う小口カバー部と、を有していることを特徴とする建具。
【請求項３】
請求項１または請求項２に記載の建具であって、
前記障子には見込み方向における両側に面材を有し、
上の前記横框の上縁部、下の前記横框の下縁部、左の前記縦框が有する前記操作溝部の右縁部、右の前記縦框が有する前記操作溝部の左縁部にそれぞれ前記面材の周縁部を収容する面材収容部を有し、
前記カバー部材は、前記上下の横框に設けられた前記面材収容部と、左右の前記縦框に設けられた前記面材収容部との間にて前記面材の周縁部を覆う覆い部を有することを特徴とする建具。
【発明の詳細な説明】
【技術分野】
【０００１】
本発明は、移動可能な障子を有する建具に関する。
【背景技術】
【０００２】
従来の移動可能な障子を有する建具の一例としては、パネルとパネルに四方組みされた上下の横框と左右の縦框と縦框の上端部に設けられた上コーナー部材とを有する吊下障子を有する吊下障子ユニットが知られている（例えば、特許文献１参照）。このような吊下障子ユニットの吊下障子の上コーナー部材には、上レールに走行自在に設けられた戸車と一体をなす戸車ホルダーが収容される収容凹部が設けられている。
【先行技術文献】
【特許文献】
【０００３】
【特許文献１】特開２００４−１６９３２８号公報
【発明の概要】
【発明が解決しようとする課題】
【０００４】
吊下障子を移動するための操作部は、操作者の指がしっかりとかかるように、深く窪んでいる方が望ましく、また、子供から大人まで操作しやすいように形成されていることが望ましい。ところが、子供も大人も操作しやすいように子供用の操作部と大人用の操作部とを分けて形成すると障子の意匠性が低下するため、障子の上部から下部まで繋がった操作部を設けることが望ましい。しかしながら上記従来の吊下障子のように、縦框の上端部に戸車ホルダーを収容する上コーナー部材が設けられていると、縦框を深く窪ませることができないため、指の掛かりが浅く操作性が悪いという課題がある。
【０００５】
本発明は、かかる課題に鑑みてなされたものであり、その目的とするところは、操作性に優れた移動可能な障子を有する建具を提供することにある。
【課題を解決するための手段】
【０００６】
かかる目的を達成するために本発明の建具は、上方または下方に設けられたレール部材と、前記レール部材に沿って移動可能に設けられた移動体に支持される障子と、を有する建具であって、前記障子は、上下の横框、及び、左右の縦框が枠組みされた框体を有し、前記縦框は、上下方向に沿って設けられ前記障子の操作部をなし見込み方向に窪む操作溝部を有し、前記移動体は上または下の前記横框のいずれかに、見付け方向における両端側に収容されており、前記移動体が収容された前記横框の小口は、前記框体において前記操作溝部より、見付け方向における外側に位置しており、前記框体は、前記上下の横框の見付け方向における端部側を覆うとともに、前記上下の横框と前記縦框の前記操作溝部とを繋ぐカバー部材を有することを特徴とする建具である。
このような建具によれば、移動体が収容された横框の小口は、框体の操作溝部より、見付け方向において外側に位置しているので、障子を移動可能に支持する移動体は縦框内には存在しない。そして、移動体が存在しない縦框は、見込み方向の幅を狭くすることが可能であり、縦框に設けられる操作溝部の深さを、移動体が縦框内に収容される場合より深く形成することが可能である。このため、操作者の指が掛かりやすく操作性に優れた建具を提供することが可能である。
また、上下の横框の端部側を覆うとともに、上下の横框と縦框の操作溝部とを繋ぐカバー部材を框体が有しているので、上下の横框と縦框の操作溝部との間が繋がった意匠性に優れた框体及び建具を形成することが可能である。
【０００７】
かかる建具であって、前記縦框は、上の前記横框と下の前記横框との間に位置し、前記障子の操作部をなし見込み方向に窪む前記操作溝部が上下方向に沿うとともに、その全域に設けられた縦框本体と、前記操作溝部より見付け方向における端部側にて前記縦框本体より上方及び下方にそれぞれ延出され前記上下の横框の小口を覆う小口カバー部と、を有していることが望ましい。  
このような建具によれば、上下の横框の小口は、縦框に設けられた操作溝部より、見付け方向において端部側に設けられた小口カバー部にて覆われる。すなわち、框体において見付け方向における端部側に配置される縦框の操作溝部より、さらに端部側に上框及び下框の小口が配置されるので、上下の横框は障子の見付け方向におけるより端部まで存在し、縦框本体の上方及び下方にも上框及び下框が存在するように構成される。このため、上下の横框の小口は、小口カバー部に覆われるので、より意匠性に優れた建具を提供することが可能である。
【０００９】
かかる建具であって、前記障子には見込み方向における両側に面材を有し、上の前記横框の上縁部、下の前記横框の下縁部、左の前記縦框が有する前記操作溝部の右縁部、右の前記縦框が有する前記操作溝部の左縁部にそれぞれ前記面材の周縁部を収容する面材収容部を有し、前記カバー部材は、前記上下の横框に設けられた前記面材収容部と、左右の前記縦框に設けられた前記面材収容部との間にて前記面材の周縁部を覆う覆い部を有することが望ましい。  
このような建具によれば、上の横框の上縁部、下の横框の下縁部、左の縦框が有する操作溝部の右縁部、右の縦框が有する操作溝部の左縁部にそれぞれ面材の周縁部を収容する面材収容部を有しているので、各面材収容部に面材の周縁部を収容することにより、左右の縦框が有する操作溝部を除く、ほぼ全領域を面材の表面にて覆うことが可能である。また、上下の横框に設けられた面材収容部と、左右の縦框に設けられた面材収容部とにて周縁部が収容された面材の、上下の横框と左右の縦框との間では、カバー部材の覆い部により面材の周縁部が覆われるので、面材の周縁部を全周に渡って見えないように隠すことが可能である。このため、より意匠性に優れた障子を有する建具を提供することが可能である。
【発明の効果】
【００１０】
本発明によれば、操作性に優れた障子を有する建具を提供することが可能である。
【図面の簡単な説明】
【００１１】
【図１】本実施形態に係る吊下障子ユニットを示す外観図である。
【図２】吊下障子ユニットを説明するための縦断面図である。
【図３】吊下障子ユニットを説明するための横断面図である。
【図４】上框、下框、縦框の接合部の構成を説明するための斜視図である。
【発明を実施するための形態】
【００１２】
以下、本発明の一実施形態に係る建具としての吊下障子ユニットについて図面を参照して説明する。本実施形態の吊下障子ユニットは、リビングルームやホールなどの空間を仕切る際に用いられる。
【００１３】
以下の説明においては、建物等に取り付けられた状態の吊下障子ユニットに向かって、吊下障子の上下となる方向を上下方向、吊下障子が移動する方向であり左右となる方向を左右方向または見付け方向、仕切られる空間が連通する方向である奥行き方向を見込み方向として示す。また、吊下障子ユニットを構成する部材は、単体の状態であっても吊下障子ユニットが建物等に取り付けられた状態で上下方向、見付け方向、見込み方向等となる方向にて方向を特定して説明する。
【００１４】
図１、図２に示すように、本実施形態の吊下障子ユニット１０は、天井２に設けられたレール部材１１と、レール部材１１に沿って移動可能に設けられた移動体としての吊り車ユニット２０と、吊り車ユニット２０に吊り下げられて移動する吊下障子１２と、吊下障子１２を閉じた状態にて振れを規制する規制部材４と、を有している。
【００１５】
レール部材１１は、図２に示すように、吊下障子１２の上端部が収容されつつ吊下障子１２の上部に設けられた、後述する吊り車ユニット２０が収容される中空部１１ａが見付け方向に沿って形成されたアルミニウム製の押出成形材である。
【００１６】
レール部材１１は、断面がほぼ矩形状をなす中空部１１ａと、中空部１１ａを形成し見込み方向に間隔を隔てて設けられている側壁１１ｂの下縁から下方に延出された延出部１１ｃと、中空部を形成する下板部１１ｄに、見付け方向に沿って形成されたスリット１１ｅと、を有し、中空部１１ａを形成する上板部１１ｆが天井２にビスにて固定されている。レール部材１１が天井２に固定されると下板部１１ｄ及びスリット１１ｅが床３と対向するように配置される。
【００１７】
規制部材４は、床３に設けられ、上面に突起部５を有する部材であり、突起部５が下框１７に収容されることにより吊下障子１２の振れが規制されるように構成されている。  
そして、吊下障子１２の上端部は、中空部１１ａを形成する下板部１１ｄと、側壁１１ｂの下縁から下方に延出された延出部１１ｃと、にて形成される凹部１１ｇに収容される。  
吊下障子１２の上框１６の見付け方向における両端部近傍には、吊り車ユニット２０が設けられている。
【００１８】
吊り車ユニット２０は、上框１６内から上方に突出される軸体２１と、軸体２１の上端側に回動自在に設けられた回動部２２と、回動部２２を水平方向に貫通する回転軸２３を中心に回転し、回動部２２を挟むように配置された一対のローラ２４と、軸体２１の下端側に設けられ上框１６内に収容される被収容部２５を有している。
【００１９】
回動部２２の上部及び一対のローラ２４が中空部１１ａの内部、すなわち、スリット１１ｅにより凹部１１ｇと連通される中空部１１ａに入り、スリット１１ｅから下方に回動部２２の下部及び軸体２１が突出されている。このとき、突出された軸体２１の下端側には、被収容部２５が設けられており、上框１６の端部から挿入されて圧入状態で収容されている。
【００２０】
吊下障子１２は、上下の横框としての上框１６及び下框１７、左右の縦框１８でなる框体１３と、框体１３の内側に設けられた芯材２８と、見込み方向において吊下障子１２の両面を形成する面材としての内装板１４と、前記上框１６及び下框１７の端部側を覆うカバー部材１９と、を有している。上框１６、下框１７、及び、左右の縦框１８は、いずれもアルミニウム製の押出成形材である。
【００２１】
被収容部２５が上框１６に収容された吊下障子１２は中空部１１ａに吊り下げられた状態となりスリット１１ｅに沿ってスライド可能となる。詳しくは、吊り車ユニット２０の一対のローラ２４が、スリット１１ｅを形成する中空部１１ａの下板部１１ｄ上を転動することにより、吊下障子１２はスリット１１ｅに沿って滑らかにスライドする。このとき、吊下障子１２は、レール部材１１から吊り下げられた状態にて、吊下障子１２の下端と床３との間隔が隔てられている。
【００２２】
上框１６は、図４に示すように、断面形状が上下方向に長いほぼ長方形状をなし、上框中空部１６ａを形成する上框本体１６ｂと、長方形状をなす上框本体１６ｂの上框下板部１６ｃに設けられ縦框１８と接合するためのビスが螺合される上框ビス螺合部１６ｄと、上框本体１６ｂの見込み方向における両側に設けられた上框側板部１６ｅの上縁部に各々設けられた上框面材収容部１６ｆと、を有している。尚、図４は、框体１３の左右方向における左側部分を示して右側部分を省略しているが、右側部分は左右方向が異なる対称形状をなしている。
【００２３】
各々の上框面材収容部１６ｆは、上框本体１６ｂの両上框側板部１６ｅの上縁部から水平に、互いに遠ざかる方向に延出された上框水平延出部１６ｇと、上框本体１６ｂの両上框側板部１６ｅと間隔を隔てて対向し、上框水平延出部の１６ｇの先端から垂設された上框対向壁部１６ｈとを有している。上框本体１６ｂの上框側板部１６ｅと上框対向壁部１６ｈとの間隔は、吊下障子１２が備える内装板１４の板厚より僅かに広く形成されており、上框対向壁部１６ｈの見付け方向における両端部は切り欠かれた上端切欠１６ｋが形成されている。また、上框本体１６ｂの上框上板部１６ｉの両端部側には、各々端部側に開放された上框切欠部１６ｊが設けられている。上框切欠部１６ｊは、上框１６の上框中空部１６ａに吊り車ユニット２０の被収容部２５が収容された際に軸体２１が突出される部位である。
【００２４】
下框１７は、断面形状が上下方向に長く下方に開放されたほぼＵ字状をなし、上下方向のほぼ中央に、上側を中空部１７ａとする中板部１７ｃを備えた下框本体１７ｂと、下框本体１７ｂの上部に設けられ縦框１８と接合するためのビスが螺合される下框ビス螺合部１７ｄと、Ｕ字状をなす下框本体１７ｂの見込み方向における両側の下縁部に各々設けられた下框面材収容部１７ｅと、を有している。
【００２５】
各々の下框面材収容部１７ｅは、Ｕ字状をなす下框本体１７ｂの各々の下縁部から水平に、互いに遠ざかる方向に延出された下框水平延出部１７ｆと、下框本体１７ｂの両下框側板部１７ｇと間隔を隔てて対向し、下框水平延出部の１７ｆの先端から立設された下框対向壁部１７ｉと、下框対向壁部１７ｉの上縁から下框側板部１７ｇ側に向かって突出された下框突片１７ｊと、を有している。下框本体１７ｂの下框側板部１７ｇと下框突片１７ｊの先端との間隔は、吊下障子１２が備える内装板１４の板厚より僅かに広く形成されており、下框対向壁部１７ｉ及び下框突片１７ｊの見付け方向における両端部は切り欠かれた下端切欠１７ｋが形成されている。ここで、上框１６の上框本体１６ｂにおける見込み方向の幅と下框本体１７ｂの見込み方向の幅とは同じ幅に形成されている。
【００２６】
左右の縦框１８は、左右が反転した互いに対称の形状をなしているので、ここでは左の縦框１８を例に挙げて説明する。  
左の縦框１８は、図３、図４に示すように、戸先側に設けられ断面形状が見込み方向に長いほぼ長方形状をなし、縦框中空部１８ａを形成する中空縦框部１８ｂ、中空縦框部１８ｂと見付け方向に間隔を隔てて右側に設けられ吊下障子１２に内包される芯材２８とともに内装板１４を収容する縦框収容部１８ｃ、及び、中空縦框部１８ｂと縦框収容部１８ｃとを見付け方向に繋ぐ中空の連結部１８ｄ、を有する縦框本体１８ｅと、縦框本体１８ｅの戸先側にて上方に延出された上框小口カバー部１８ｆと、縦框本体１８ｅの戸先側にて下方に延出された下框小口カバー部１８ｇと、を有している。ここで、縦框収容部１８ｃが縦框１８の面材収容部に相当する。
【００２７】
縦框本体１８ｅの中空縦框部１８ｂの見込み方向の幅と縦框収容部１８ｃの見込み方向の幅とはほぼ同じ幅に形成されており、連結部１８ｄの見込み方向の幅は、中空縦框部１８ｂ及び縦框収容部１８ｃの見込み方向の幅より狭く形成されている。連結部１８ｄは、中空縦框部１８ｂと縦框収容部１８ｃとの間にて見込み方向の中央に配置されている。すなわち、連結部１８ｄは、中空縦框部１８ｂ及び縦框収容部１８ｃの見込み方向における外縁部より框体１３の厚み方向における内側に窪ませて形成されている。見込み方向に窪んだ部位が吊下障子１２を移動する際の操作部をなる操作溝部１８ｈをなしている。
【００２８】
縦框収容部１８ｃは、見込み方向に沿う面を形成する見込み壁部１８ｏと、見込み壁部１８ｏの見込み方向における両端部から中空縦框部１８ｂと反対側にそれぞれ延出された延出片１８ｐと、を有している。
【００２９】
上框小口カバー部１８ｆは、押出成形された部材から、縦框本体１８ｅの上部に相当する部位のうち中空縦框部１８ｂを残して切除されて形成されており、残存された中空縦框部１８ｂに相当する部位の連結部１８ｄ側の壁部１８ｒには、上框１６が入り込む大きさに切り欠かれた上内側切欠部１８ｉが形成されており、中空縦框部１８ｂの戸先側の壁部１８ｓには、上内側切欠部１８ｉに入り込んだ上框１６の小口が当接されるように、上内側切欠部１８ｉより僅かに小さく切り欠かれた外側切欠部１８ｊが形成されている。すなわち、上框小口カバー部１８ｆは、中空縦框部１８ｂの見込み方向における両端部が、各々Ｕ字状をなし開放されている側が対向するように対向壁部１８ｋが残されている。また、上框小口カバー部１８ｆには、外側切欠部１８ｊの下側に上框１６の上框ビス螺合部１６ｄに螺合されるビスが貫通する貫通孔１８ｌが形成されている。
【００３０】
そして、上框１６は、上框小口カバー部１８ｆの対向壁部１８ｋ間に、上端切欠１６ｋが形成されている先端部が入り込むように挿入される。このとき、上框１６の上框本体１６ｂが上内側切欠部１８ｉ間に位置して上框１６の小口が対向壁部の１８ｋの、戸先側の壁部１８ｓにて覆われる。このため、上框１６の先端は、対向壁部１８ｋにより見付け方向からも見込み方向からも露出しないように覆われる。
【００３１】
下框小口カバー部１８ｇは、押出成形された部材から、縦框本体１８ｅの下部に相当する部位のうち中空縦框部１８ｂを残して切除されて形成されており、残存された中空縦框部１８ｂに相当する部位の連結部１８ｄ側の壁部１８ｒには、下框１７が入り込む大きさに切り欠かれた下内側切欠部１８ｍが形成されており、中空縦框部１８ｂの戸先側の壁部１８ｓには、下内側切欠部１８ｍに入り込んだ下框１７の小口が当接されて下框１７の下框ビス螺合部１７ｄに螺合されるビスが貫通する貫通孔１８ｎが形成されている。
【００３２】
下框小口カバー部１８ｇは、中空縦框部１８ｂの連結部１８ｄ側の壁部１８ｒが切除されて断面がＣ字状をなすように下周壁部１８ｑが残されている。そして、下框１７は、下框小口カバー部１８ｇの下周壁部１８ｑ間に、下端切欠１７ｋが形成されている先端部が入り込むように挿入される。このとき、下框１７の下框本体１７ｂが下内側切欠部１８ｍ間に位置して下框１７の小口が下周壁部１８ｑの、戸先側の壁部１８ｓにて覆われる。このため、下框１７の先端は、下周壁部１８ｑにより見付け方向からも見込み方向からも露出しないように覆われる。
【００３３】
カバー部材１９は、上框１６の上框本体１６ｂの２つの上框側板部１６ｅ及び下框本体１７ｂの２つの下框側板部１７ｇと各々対向するように、互いに間隔を隔てて形成された対をなす側カバー部１９ａと、対をなす側カバー部１９ａの上下方向における一端側を繋ぐ中継部１９ｂと、中継部１９ｂの、側カバー部１９ａと反対側であって見込み方向における中央に見付け方向に沿って凹設された凹溝部１９ｃと、を有している。対をなす側カバー部１９ａの見付け方向における一方の端部には、側カバー部１９ａの他の部位より間隔が広く形成された、覆い部としての拡幅部１９ｄが設けられており、拡幅部１９ｄの間隔は、上框１６に設けられている上框対向壁部１６ｈの間隔、及び、下框１７に設けられている下框対向壁部１７ｉの間隔とほぼ一致するように構成されている。また、側カバー部１９ａの間隔が狭い部位は、中継部１９ｂと反対側の縁が水平方向に、側カバー部１９ａの間隔が広い部位と同じ幅まで延出された水平延出部１９ｅと、水平延出部１９ｅより中継部１９ｂと反対側に側カバー部１９ａが延出されるように突出された突出ヒレ部１９ｆが形成されている。
【００３４】
そして、カバー部材１９は、上框１６の上框本体１６ｂ及び下框１７の下框本体１７ｂに被せるように、上框１６及び下框１７の両端部に配置する。このとき、いずれのカバー部材１９も拡幅部１９ｄ側が上框１６及び下框１７の見付け方向における中央側に位置するように配置される。また、上框１６に被せられたカバー部材１９は、突出ヒレ部１９ｆが上框側板部１６ｅと上框対向壁部１６ｈとの間に挿入されて水平延出部１９ｅ及び拡幅部１９ｄの端部が上框対向壁部１６ｈの下縁に当接され、下框１７に被せられたカバー部材１９は、突出ヒレ部１９ｆが下框側板部１７ｇと下框突片１７ｊとの間に挿入されて水平延出部１９ｅ及び下框突片１７ｊの上面に当接される。
【００３５】
カバー部材１９が両端部に被せられた上框１６は、上框本体１６ｂが縦框１８の上内側切欠部１８ｉに上方から挿通され、上端切欠１６ｋが形成されている先端部が対向壁部１８ｋ間に挿入される。このとき、カバー部材１９のカバー部１９ａの戸先側の縁が上框小口カバー部１８ｆの連結部１８ｄ側の壁部１８ｒに当接される。この状態で、カバー部材１９の拡幅部１９ｄにより上框１６の上框対向壁部１６ｈと縦框１８の延出片１８ｐとが繋がって、上框面材収容部１６ｆと縦框収容部１８ｃとの間にも内装板１４の周縁部が収容される収容部が形成される。そして、上框１６の小口が中空縦框部１８ｂの戸先側の壁部１８ｓに当接された状態にて貫通孔１８ｌを貫通したビスが上框ビス螺合部１６ｄに螺合されて上框１６と縦框１８とが接合されるとともにカバー部材１９が組み付けられる。
【００３６】
また、カバー部材１９が両端部に被せられた下框１７は、下框本体１７ｂが縦框１８の下内側切欠部１８ｍに下方から挿通され、下端切欠１７ｋが形成されている先端部が下周壁部１８ｑ間に挿入される。このとき、カバー部材１９のカバー部１９ａの戸先側の縁が下框小口カバー部１８ｇの連結部１８ｄ側の壁部１８ｒに当接される。この状態で、カバー部材１９の拡幅部１９ｄにより下框１７の下框対向壁部１７ｉと縦框１８の延出片１８ｐとが繋がって、下框面材収容部１７ｅと縦框収容部１８ｃとの間にも内装板１４の周縁部が収容される収容部が形成される。そして、下框１７の小口が中空縦框部１８ｂの戸先側の壁部１８ｓに当接された状態にて貫通孔１８ｎを貫通したビスが下框ビス螺合部１７ｄに螺合されて下框１７と縦框１８とが接合されるとともにカバー部材１９が組み付けられる。
【００３７】
上框１６及び下框１７と縦框１８とが接合されカバー部材１９が組み付けられた状態では、カバー部材１９の凹溝部１９ｃに縦框１８の連結部１８ｄが挿入されるように構成されている。
【００３８】
上框１６、下框１７、及び左右の縦框１８が接合される際には、上框１６及び下框１７と左右の縦框１８の縦框収容部１８ｃとに囲まれた内側に芯材２８が収容され、上框１６の上框面材収容部１６ｆ、下框１７の下框面材収容部１７ｅ、左右の縦框１８の縦框収容部１８ｃ、及び各カバー部材１９の拡幅部１９ｄに内装板１４の周縁部が全周に渡って収容されて吊下障子１２が形成される。そして、縦框１８の外側切欠部１８ｊと繋がった上框１６の上框切欠部１６ｊを利用して上框１６に、レール部材１１にスライド自在に設けられた吊り車ユニット２０の被収容部２５が収容されることにより吊下障子１２がレール部材１１から吊り下げられた状態となる。
【００３９】
本実施形態の吊下障子ユニット１０によれば、上框１６及び下框１７の小口は、縦框１８に設けられた操作溝部１８ｈより、見付け方向において端部側に設けられた小口カバー部１８ｆ、１８ｇにて覆われる。すなわち、框体１３において見付け方向における端部側に配置される縦框１８の操作溝部１８ｈより端部側に上框１６及び下框１７の小口が配置されるので、上框１６及び下框１７は吊下障子１２の見付け方向における端部まで存在し、縦框本体１８ｅの上方及び下方にも上框１６及び下框１７が存在するように構成される。このため、吊下障子１２を移動可能に吊り下げるための吊り車ユニット２０の被収容部２５を縦框１８内に設けることなく上框１６内に収容することが可能である。
【００４０】
そして、被収容部２５を上框１６内に設けることができるので、縦框本体１８ｅの見込み方向の幅を狭くすることが可能である。このため、縦框１８の縦框本体１８ｅに設けられる操作溝部１８ｈの深さを、被収容部２５が縦框１８内に収容される場合より深く形成することが可能である。また、操作溝部１８ｈは、上下に各々延出されている上框小口カバー部１８ｆ及び下框小口カバー部１８ｇの間に設けられている縦框本体１８ｅに上下方向に沿って全域に設けられているので、操作者の身長に拘わらず操作し易い操作溝部１８ｈを形成することが可能である。このため、操作者の指が掛かりやすく子供から大人まで操作しやすい吊下障子ユニット１０を提供することが可能である。
【００４１】
また、上框１６及び下框１７の小口は、上框小口カバー部１８ｆ及び下框小口カバー部１８ｇに覆われるので、より意匠性に優れた吊下障子ユニット１０を提供することが可能である。よって、意匠性及び操作性に優れた吊下障子ユニット１０を提供することが可能である。
【００４２】
また、上框１６及び下框１７の端部側を覆うとともに、上框１６及び下框１７と縦框１８の操作溝部１８ｈとを繋ぐカバー部材１９を框体１３が有しているので、上框１６及び下框１７と縦框１８の操作溝部１８ｈとの間が繋がった意匠性に優れた框体１３及び吊下障子１２を形成することが可能である。
【００４３】
また、上框１６の上縁部、下框１７の下縁部、左の縦框１８が有する操作溝部１８ｈの右縁部、右の縦框１８が有する操作溝部１８ｈの左縁部にそれぞれ内装板１４の周縁部を収容する上框面材収容部１６ｆ、下框面材収容部１７ｅ、縦框収容部１８ｃを有しているので、各面材収容部１６ｆ、１７ｅ、１８ｃに内装板１４の周縁部を収容することにより、左右の縦框１８が有する操作溝部１８ｈを除く、ほぼ全領域を内装板１４の表面にて覆うことが可能である。また、上框１６及び下框１７に設けられた上框面材収容部１６ｆ及び下框面材収容部１７ｅと、左右の縦框１８に設けられた縦框収容部１８ｃとで周端部が収容された内装板１４の、上框１６及び下框１７と左右の縦框１８との間では、カバー部材１９の拡幅部１９ｄにより内装板１４の周端部が覆われるので内装板１４の周縁部を全周に渡って見えないように隠すことが可能である。このため、より意匠性に優れた吊下障子１２を有する吊下障子ユニット１０を提供することが可能である。
【００４４】
上記実施形態においては、建具として吊下障子ユニット１０を例に上げて説明したが、これに限るものではない。例えば、床に設けられたレール部材に、障子の下框に設けられた戸車が載置されて障子がレール部材に沿って移動する建具であっても構わない。
【００４５】
また、上記実施形態においては、縦框１８が上框小口カバー部１８ｆと下框小口カバー部１８ｇとを有し、上框小口カバー部１８ｆの対向壁部１８ｋ間に、上框１６の先端が入り込むように挿入され、下框小口カバー部１８ｇの下周壁部１８ｑ間に、下框１７の先端が入り込むように挿入される例について説明したが、例えば、縦框１８の小口が、上框１６の下面及び下框１７の上面にそれぞれ当接されて枠組みされていてもよい。
【００４６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４７】
１０  吊下障子ユニット、１１  レール部材、１２  吊下障子、１３  框体、
１４  内装板、１６  上框、１６ｆ  上框面材収容部、１７  下框、
１７ｅ  下框面材収容部、１８  縦框、１８ｃ  縦框収容部、１８ｅ  縦框本体、
１８ｆ  上框小口カバー部、１８ｇ  下框小口カバー部、１８ｈ  操作溝部、
１９  カバー部材、１９ｄ  拡幅部、２０  吊り車ユニット
【図１】
0005461374.tif 000002
【図２】
0005461374.tif 000003
【図３】
0005461374.tif 000004
【図４】
0005461374.tif 000005